(57)【特許請求の範囲】
【請求項１】
プレス機１に近接して作業床２にピット３を設け、その底面に左右方向に延びるレール４を敷設し、このレール４に沿って移動する搬送台車５にダイホルダ１３が載置される二つのステージ６、６を備え、次に使用する金型がセットされたダイホルダ１３を一方のステージ６に載せ、使用済みの金型がセットされたダイホルダ１３をプレス機１から他方のステージ６に引き取り、搬送台車５の移動に伴い一方のステージ６をプレス機１の正面に位置づけ、このステージ６上のダイホルダ１３をプレス機１に送り込む金型交換装置において、前記ピット３の両端部を作業床２の下方へ拡げ、その底面までレール４を敷設し、前記搬送台車５の両端に、昇降可能な床板１７を備えた床台車１８、１８を連結して、これらの床台車１８、１８を前記レール４に沿って搬送台車５と共に移動可能とし、いずれかのステージ６がプレス機１の正面に位置づけられているとき、床板１７が下降した一方の床台車１８が作業床２の下方に潜り込み、他方の床台車１８の上昇した床板１７でピット３の開放部が覆われるようにしたことを特徴とする金型交換装置。
【発明の詳細な説明】
【０００１】
【発明の属する技術分野】
この発明は、プレス機の金型をダイホルダにセットした状態で交換する装置に関するものである。
【０００２】
【従来の技術】
従来より、プレス作業の効率化を図るため、図３に示すような金型交換装置が使用されている。この金型交換装置では、プレス機１の正面に臨んで作業床２にピット３を設け、その底面に左右方向に延びるレール４を敷設し、このレール４に沿って移動自在に搬送台車５を設けている。
【０００３】
この搬送台車５は二つのステージ６、６を備え、プレス機１とピット３の間に設けた中間台７及び搬送台車５の各ステージ６には、ガイドレール８とチェーン溝９とが形成されている。チェーン溝９には、一端にフック１０を有するチェーン１１が抜差自在に挿入され、チェーン１１の他端はピット３の後方に位置する電動機１２に接続されている。
【０００４】
上記装置によりプレス機１で使用する金型を交換する際には、次に使用する金型がセットされたダイホルダ１３を予め搬送台車５の一方のステージ６に載せておく。そして、使用済みの金型がセットされたダイホルダ１３にフック１０を係合させ、電動機１２の駆動によりチェーン１１を巻き取ってこのダイホルダ１３をプレス機１から搬送台車５の他方のステージ６に引き取る。その後、フック１０とダイホルダ１３との係合を解除し、さらにチェーン１１を巻き取って搬送台車５のチェーン溝９から引き抜き、フック１０を退避させる。
【０００５】
次いで、搬送台車５の移動に伴い一方のステージ６をプレス機１の正面に位置づけ、このステージ６上のダイホルダ１３にフック１０を係合させ、電動機１２の駆動によりチェーン１１を繰り出してこのダイホルダ１３をプレス機１に送り込む。そして、プレス機１でのプレス作業に備え、フック１０とダイホルダ１３との係合を解除してチェーン１１を巻き取り、フック１０を退避させる。また、プレス作業と並行して、他方のステージ６に引き取ったダイホルダ１３の金型の交換や補修を行う。
【０００６】
このような動作を、搬送台車５を往復動させつつ繰り返すことにより、金型を迅速に交換してプレス作業を続けることができる。
【０００７】
【発明が解決しようとする課題】
しかしながら、上記のような金型交換装置では、搬送台車５のステージ６、６のいずれかがプレス機１の正面に位置づけられているとき、ピット３の一端部が開放状態となり、そのままの状態にしておくと、作業員が転落する危険性があるほか、フォークリフトの移動が制限されるため、この開放部に盲蓋をしなければならない。この盲蓋は、搬送台車５の移動の度に撤去し、移動完了後に再度セットしなければならず、その作業は非常に煩わしいものとなる。
【０００８】
そこで、この発明は、ピット内で搬送台車が移動する金型交換装置において、ピットへの作業員の転落防止及びプレス機周辺の作業スペースの確保を容易に行える金型交換装置を提供することを課題とする。
【０００９】
【課題を解決するための手段】
上記課題を解決するため、この発明は、ダイホルダの搬送台車の両端に、昇降可能な床板を備えた床台車を連結して、これらの床台車がレールに沿って搬送台車と共に移動し、いずれかのステージがプレス機の正面に位置づけられているとき、床板が下降した一方の床台車が作業床の下方に潜り込み、他方の床台車の上昇した床板でピットの開放部が覆われるようにしたのである。
【００１０】
【発明の実施の形態】
以下、この発明の実施の形態を図１及び図２に基づいて説明する。なお、図３に示す従来例で符号を付した部分には同一の符号を付して説明を省略する。
【００１１】
この金型交換装置では、ピット３の両端部が作業床２の下方へ拡がっており、その底面までレール４が敷かれている。
【００１２】
搬送台車５は、そのフレーム１４の下部に設けた車輪１５を、フレーム１４に搭載したモータ１６で回転させてレール４上を走行するものであり、搬送台車５の両端には、昇降可能な床板１７を備えた床台車１８、１８が連結器１９を介して連結されている。各床台車１８は、フレーム２０の下部に車輪２１を有し、搬送台車５と共にレール４に沿って移動する。
【００１３】
各床台車１８において、フレーム２０には昇降用シリンダ２２が設けられ、床板１７は、その下面から垂下してフレーム２０に挿通された４本のガイド棒２３にガイドされつつ、シリンダ２２の駆動に伴い昇降する。また、フレーム２０に設けたピン２４をシリンダ２５で進退させることにより、上昇位置にある床板１７の下降を防止した状態と、床板１７の昇降を許容する状態とを切り換えるようになっている。
【００１４】
いま、上記のような金型交換装置において、一方のステージ６がプレス機１の正面に位置づけられているときには、床板１７が下降した一方の床台車１８が作業床２の下方に潜り込み、他方の床台車１８の床板１７は上昇して、ピット３の開放部を覆っている。このとき、床板１７と作業床２の上面のレベルは一致している。
【００１５】
そして、金型交換に際しては、他方の床台車１８の床板１７を下降させて搬送台車５及び床台車１８、１８を移動させ、他方のステージ６をプレス機１の正面に位置づけ、一方の床台車１８の床板１７を、作業床２と上面のレベルが一致するまで上昇させる。
【００１６】
このように、上記金型交換装置では、床板１７によりピット３の開放部が覆われているので、作業員がピット３に落下する危険性がなく、また、フォークリフト等の移動が制限されることもない。
【００１７】
なお、上述の例では、床板１７を４本のガイド棒２３でガイドしつつシリンダ２２の駆動に伴い昇降させるようにしたが、交差したリンクを開閉することにより昇降させるようにしてもよい。
【００１８】
【発明の効果】
以上説明したように、この発明に係る金型交換装置では、ダイホルダ搬送台車の両端に昇降する床板を有する床台車を連結し、上昇した床板でピットの開放部が覆われるようにしたので、盲蓋をセットすることなしに、作業員のピットへの転落を防止し、広い作業スペースを確保することができる。
【図面の簡単な説明】
【図１】この発明に係る金型交換装置の概略斜視図
【図２】同上の縦断正面図
【図３】従来の金型交換装置の概略斜視図
【符号の説明】
１  プレス機
２  作業床
３  ピット
４  レール
５  搬送台車
６  ステージ
１３  ダイホルダ
１７  床板
１８  床台車
【図１】
0003540188.tif 000002
【図２】
0003540188.tif 000003
【図３】
0003540188.tif 000004